(57)【要約】【課題】振動出力および音声出力の一方の出力または両方の混合出力を磁歪アクチュエータを用いた小規模な構成で容易に得る。【解決手段】磁歪アクチュエータ１０９に音声処理部１０８からドライブ信号Ｓｄを供給する。この磁歪アクチュエータ１０９は、筐体の一部１２０、例えば液晶アクリルパネルに接するようにされている。通話時には、通話に係る音声信号に対応したドライブ信号Ｓｄを磁歪アクチュエータ１０９に供給し、通話音声を得る。着信時には、マナーモードのオンオフ、バイブレーションのオンオフに応じて、着信用の音声信号およびバイブレーション信号の一方の信号またはそれらの混合信号に対応したドライブ信号Ｓｄを磁歪アクチュエータ１０９に供給し、音声出力（着信音）および振動出力の一方の出力または両方の混合出力を得る。【選択図】        図１
2006334541.tif 000002
【特許請求の範囲】
【請求項１】
磁歪アクチュエータと、
上記磁歪アクチュエータをドライブするドライブ部とを備え、
上記ドライブ部は、バイブレーション信号および音声信号の一方の信号または両方を混合した信号に基づいて上記磁歪アクチュエータをドライブする
ことを特徴とする電気機械変換装置。
【請求項２】
上記バイブレーション信号は可聴帯域外の周波数を持つ信号である
ことを特徴とする請求項１に記載の電気機械変換装置。
【請求項３】
上記バイブレーション信号は間欠的な信号である
ことを特徴とする請求項１に記載の電気機械変換装置。
【請求項４】
上記音声信号のレベルを検出するレベル検出部と、
上記レベル検出部の検出出力に基づいて、上記バイブレーション信号のレベルを調整するレベル調整手段とをさらに備える
ことを特徴とする請求項１に記載の電気機械変換装置。
【請求項５】
バイブレーション信号による振動出力および音声信号による音声出力の一方の出力または両方の混合出力を得るための方法であって、
上記バイブレーション信号および上記音声信号の一方の信号または両方を混合した信号に基づいて磁歪アクチュエータをドライブする
ことを特徴とする電気機械変換方法。
【請求項６】
バイブレーション信号による振動出力および音声信号による音声出力の一方の出力または両方の混合出力を得るための電気機械変換装置を有する電子機器であって、
上記電気機械変換装置は、
磁歪アクチュエータと、
上記磁歪アクチュエータをドライブするドライブ部とを備え、
上記ドライブ部は、バイブレーション信号および音声信号の一方の信号または両方を混合した信号に基づいて上記磁歪アクチュエータをドライブする
ことを特徴とする電子機器。
【発明の詳細な説明】
【技術分野】
【０００１】
この発明は、例えば携帯電話機、ゲーム機等に適用して好適な電気機械変換装置、電気機械変換方法およびそれを用いた電子機器に関する。詳しくは、この発明は、バイブレーション信号および音声信号の一方の信号または両方を混合した信号に基づいて磁歪アクチュエータをドライブする構成とすることによって、振動出力および音声出力の一方の出力または両方の混合出力を磁歪アクチュエータを用いた小規模な構成で容易に得ることができるようにした電気機械変換装置等に係るものである。
【背景技術】
【０００２】
従来、例えば特許文献１等に記載されているように、音声出力の他に振動出力によって着信をユーザに知らせることができる携帯電話機が知られている。
【０００３】
図９は、この種の携帯電話機２００の構成例を示している。この携帯電話機２００は、マイクロコンピュータを有して構成され、電話機全体の動作を制御する制御部２０１を有している。この制御部２０１には、ユーザが種々の操作を行うためのキー操作部２０２、送受信状態、操作状態等を表示する、液晶表示素子等からなる表示部２０３、および多数の相手先の電話番号などを格納した電話長メモリ等として使用されるメモリ２０４が接続されている。
【０００４】
また、携帯電話機２００は、送受信アンテナ２０５と、無線部２０６と、ベースバンド処理部２０７と、音声処理部２０８とを有している。無線部２０６は、周波数変換、復調／変調の処理を行う。ベースバンド処理部２０７は、音声情報、データ情報等の分離／合成の処理を行う。音声処理部２０８は、音声信号の復号化／符号化の処理を行う。この音声処理部２０８には、スピーカ２０９およびマイクロホン２１０が接続されている。
【０００５】
また、携帯電話機２００は、バイブレータ２１２と、このバイブレータ２１２をドライブするバイブレータドライブ回路２１１とを有している。バイブレータ２１２は、例えばモータの駆動軸に偏心させた分銅をつけた構造とされている。
【０００６】
この携帯電話機２００の動作を簡単に説明する。まず、受信時の動作を説明する。送受信アンテナ２０５で受信された携帯電話信号（高周波信号）は無線部２０６に供給される。この無線部２０６では、携帯電話信号がミキサにより中間周波信号に変換され、さらにその中間周波信号からベースバンド信号が復調される。そして、このベースバンド信号はベースバンド処理部２０７に供給される。
【０００７】
このベースバンド処理部２０７では、ベースバンド信号から音声情報、データ情報（画像情報、テキスト情報を含む）等が分離される。そして、音声情報は音声処理部２０８に供給され、データ情報は制御部２０１に供給される。制御部２０１は、データ情報に基づいた制御動作を行うと共に、必要に応じて、表示部２０３に画像、文字等を表示する。
【０００８】
音声処理部２０８では、音声情報に対して復号化処理が行われ、音声信号が得られる。この音声信号はスピーカ２０９に供給され、このスピーカ２０９から音声出力が得られる。
【０００９】
次に、送信時の動作を説明する。マイクロホン２１０からの音声信号は音声処理部２０８に供給される。音声処理部２０８では、この音声信号に対して符号化処理が行われ、音声情報が得られる。この音声情報はベースバンド処理部２０７に供給される。
【００１０】
ベースバンド処理部２０７では、音声情報と、制御部２０１から供給されるデータ情報とが合成され、送信すべきベースバンド信号が生成される。このベースバンド信号は無線部２０６に供給される。
【００１１】
無線部２０６では、ベースバンド信号に対して変調処理が行われて中間周波信号が得られ、さらにこの中間周波信号がミキサにより携帯電話信号（高周波信号）に変換される。この携帯電話信号は送受信アンテナ２０５に供給されて送信される。
【００１２】
次に、着信時に、当該着信をユーザに知らせる動作を説明する。マナーモードに設定されておらず、バイブレーションオフモードに設定されている場合には、音声処理部２０８から着信用の音声信号がスピーカ２０９に供給されて、このスピーカ２０９から着信音の音声出力が得られる。また、マナーモードに設定されており、バイブレーションオンモードに設定されている場合には、ドライブ回路２１１によってバイブレータ２１２がドライブされ、このバイブレータ２１２から振動出力が得られる。
【００１３】
また、マナーモードに設定されておらず、バイブレーションオンモードに設定されている場合には、音声処理部２０８から着信用の音声信号がスピーカ２０９に供給されて、このスピーカ２０９から着信音の音声出力が得られると共に、ドライブ回路２１１によってバイブレータ２１２がドライブされ、このバイブレータ２１２から振動出力が得られる。
【００１４】
【特許文献１】特開平０１−２２７５３５号公報
【発明の開示】
【発明が解決しようとする課題】
【００１５】
図９に示す携帯電話機２００は、音声出力を得るスピーカ２０９とは別途に、振動出力を得るためのバイブレータ２１２を備えるものであり、その分だけ規模が大きくなるという不都合があった。
【００１６】
この発明の目的は、振動出力および音声出力の一方の出力または両方の混合出力を小規模な構成で容易に得ることにある。
【課題を解決するための手段】
【００１７】
この発明の概念は、
磁歪アクチュエータと、
上記磁歪アクチュエータをドライブするドライブ部とを備え、
上記ドライブ部は、バイブレーション信号および音声信号の一方の信号または両方を混合した信号に基づいて上記磁歪アクチュエータをドライブする
ことを特徴とする電気機械変換装置にある。
【００１８】
この発明においては、磁歪アクチュエータは、バイブレーション信号および音声信号の一方の信号または両方を混合した信号に基づいてドライブされる。ここで、「磁歪アクチュエータ」とは、外部磁界を与えると形状が変化する磁歪素子を使用したアクチュエータである。磁歪アクチュエータは、振動板としての、例えば電子機器の筐体の一部等に接するのが好ましい。
【００１９】
磁歪アクチュエータがバイブレーション信号に基づいてドライブされるとき、この磁歪アクチュエータにより振動出力が得られる。例えば、バイブレーション信号を可聴帯域外の周波数を持つ信号とすることで、振動音がユーザに聞こえることを防止できる。また、このバイブレーション信号を間欠的な信号とすることで、振動出力に強弱を与えることができる。
【００２０】
また、磁歪アクチュエータが音声信号に基づいてドライブされるとき、この磁歪アクチュエータにより音声出力が得られる。さらに、磁歪アクチュエータがバイブレーション信号および音声信号の両方を混合した信号であるとき、この磁歪アクチュエータにより、振動出力および音声出力の混合出力が得られる。
【００２１】
例えば、音声信号のレベルに応じてバイブレーション信号のレベルを調整することで、音声出力の強弱に合わせて振動出力に強弱を与えることができ、音声出力と振動出力の同調を図ることができる。
【００２２】
このように、振動出力および音声出力の一方の出力または両方の混合出力を、磁歪アクチュエータを用いた小規模な構成で容易に得ることができる。
【発明の効果】
【００２３】
この発明によれば、バイブレーション信号および音声信号の一方の信号または両方を混合した信号に基づいて磁歪アクチュエータをドライブする構成とするものであり、振動出力および音声出力の一方の出力または両方の混合出力を磁歪アクチュエータを用いた小規模な構成で容易に得ることができる。
【発明を実施するための最良の形態】
【００２４】
以下、図面を参照しながら、この発明の実施の形態について説明する。図１は、実施の形態としての携帯電話機１００の構成を示している。
【００２５】
この携帯電話機１００は、マイクロコンピュータを有して構成され、電話機全体の動作を制御する制御部１０１を有している。この制御部１０１には、ユーザが種々の操作を行うためのキー操作部１０２、送受信状態、操作状態等を表示する、液晶表示素子等からなる表示部１０３、および多数の相手先の電話番号などを格納した電話長メモリ等として使用されるメモリ１０４が接続されている。
【００２６】
また、携帯電話機１００は、送受信アンテナ１０５と、無線部１０６と、ベースバンド処理部１０７と、音声処理部１０８とを有している。無線部１０６は、周波数変換、復調／変調の処理を行う。ベースバンド処理部１０７は、音声情報、データ情報等の分離／合成の処理を行う。音声処理部１０８は、音声信号の復号化／符号化の処理を行う。この音声処理部１０８には、磁歪アクチュエータ１０９およびマイクロホン１１０が接続されている。なお、この磁歪アクチュエータ１０９は、筐体の一部１２０、例えば表示部１０３を構成する液晶アクリルパネルに接するようにされている。
【００２７】
図２は、磁歪アクチュエータ１０９の構成例を示している。磁歪アクチュエータ１０９は、伸長方向に変位を生ずる変位発生手段である棒状の磁歪素子１５１、この磁歪素子１５１に制御磁界を印加するために、この磁歪素子１５１の周囲に配置された磁界発生部としてのソレノイドコイル１５２、磁歪素子１５１の一端に連結されて磁歪アクチュエータ１０９の変位出力を伝達する可動部材たる駆動ロッド１５３、および磁歪素子１５１とソレノイドコイル１５２を収納する収納部１５４によって構成されている。
【００２８】
収納部１５４は、固定盤１６１、永久磁石１６２および筒状ケース１６３で構成されている。固定盤１６１には、磁歪素子１５１の他端が連結されており、この固定盤１６１によって磁歪素子１５１が支持されている。磁歪素子１５１に静的バイアス磁界を印加する永久磁石１６２と磁気回路構成部材である筒状ケース１６３は、収納される磁歪素子１５１の周囲に配されている。筒状ケース１６３は、永久磁石１６２の駆動ロッド１５３側と固定盤１６１側に取り付けられており、強磁性体を用いて構成することで、効率よく磁歪素子１５１に静的バイアス磁界を印加できる。また、固定盤１６１も強磁性体を用いて構成することで、さらに効率よく磁歪素子１５１に静的バイアス磁界を印加できる。
【００２９】
駆動ロッド１５３と収納部１５４との間には間隙１５５が設けられ、駆動ロッド１５３は永久磁石１６２によって吸引されるように強磁性体を用いて形成される。これにより、駆動ロッド１５３と収納部１５４との間で磁気的な吸引力を発生させ、この磁気的な吸引力により駆動ロッド１５３に取り付けられた磁歪素子１５１に予荷重が加えられる。
【００３０】
図３は、図２に示す磁歪アクチュエータ１０９における磁束線図を示している。永久磁石１６２から生じた磁束線は、筒状ケース１６３を通過したのち、間隙１５５、駆動ロッド１５３、固定盤１６１を介して永久磁石１６２へ向かうことになる。このため、駆動ロッド１５３と収納部１５４との間で磁気的な吸引力が生じ、この磁気的な吸引力により磁歪素子１５１に予荷重を印加させることができる。また、磁束線の一部は、筒状ケース１６３を通過したのち、間隙１５５、駆動ロッド１５３、磁歪素子１５１、固定盤１６１を介して永久磁石１６２へ向かうことになる。このため、磁歪素子１５１に静的バイアス磁界を印加できる。
【００３１】
この磁歪アクチュエータ１０９では、駆動ロッド１５３が軸受によって支持されていないことから、駆動ロッド１５３と軸受との摩擦の問題がないため、磁歪アクチュエータ１０９の変位出力の損失を大幅に低減できる。また、磁気的吸引力によって磁歪素子１５１に予荷重を加えるものであることから、磁歪素子１５１の変位の周期が短くても予荷重を安定して加え続けることができ、ソレノイドコイル１５２に供給される制御電流に応じた変位出力を正しく得ることができる。また、永久磁石１６２は、２つの筒状ケース１６３の間に介在されることから、磁歪素子１５１に印加される静的バイアス磁界を、固定盤１６１の位置に永久磁石を設ける場合に比べて均一にできる。さらに、駆動ロッド１５３を支持する軸受や、駆動ロッド１５３と収納部１５４を接続するための連結部材、磁歪素子１５１に予荷重を加えるためのばね等を設ける必要がなく、小型化が容易であるとともに安価に構成できる。
【００３２】
図４は、音声処理部１０８の要部、すなわち音声信号Ｓａおよびバイブレーション信号Ｓｂの出力部の構成を示している。
【００３３】
この出力部は、バイブレーション信号Ｓｂを発生するバイブレーション信号発生器１７１、接続スイッチ１７２、加算器１７３およびドライブ回路１７４からなっている。バイブレーション信号発生器１７１で発生されるバイブレーション信号Ｓｂは、可聴帯域の低周波側あるいは可聴帯域外の周波数を持つ信号であって、例えば２０Ｈｚ〜１５０Ｈｚの周波数信号とされる。また、このバイブレーション信号発生器１７１で発生されるバイブレーション信号Ｓｂは、間欠的な信号とされる。図５Ａは、バイブレーション信号発生器１７１で発生されるバイブレーション信号Ｓｂの波形の一例を示している。また、図６Ａは、そのバイブレーション信号Ｓｂの周波数スペクトラムの一例を示している。
【００３４】
接続スイッチ１７２は、制御部１０１からの制御信号ＳＷにより、接続状態、あるいは非接続状態に制御される。この接続スイッチ１７２は、磁歪アクチュエータ１０９により振動出力を得る場合に接続状態とされる。加算器１７３は、音声信号Ｓａとバイブレーション信号Ｓｂを加算するためのものである。図５Ｂは、音声信号Ｓａの波形の一例を示している。図６Ｂは、音声信号Ｓａの周波数スペクトラムの一例を示している。
【００３５】
例えば、接続スイッチ１７２が接続状態にあって、バイブレーション信号発生器１７１から加算器１７３にバイブレーション信号Ｓｂが供給されるが、この加算器１７３に音声信号Ｓａが供給されていないとき、この加算器１７３からはバイブレーションＳｂのみが出力される。また、接続スイッチ１７２が非接続状態であって、バイブレーション信号発生器１７１から加算器１７３にバイブレーション信号Ｓｂが供給されていないが、この加算器１７３に音声信号Ｓａが供給されるとき、この加算器１７３からは音声信号Ｓａのみが出力される。
【００３６】
また、接続スイッチ１７２が接続状態にあって、バイブレーション信号発生器１７１から加算器１７３にバイブレーション信号Ｓｂが供給されると共に、この加算器１７３に音声信号Ｓａが供給されるとき、この加算器１７３からはバイブレーションＳｂおよび音声信号Ｓａが混合された信号（Ｓａ＋Ｓｂ）が出力される。図５Ｃは、混合信号（Ｓａ＋Ｓｂ）の波形の一例を示している。図６Ｃは、混合信号（Ｓａ＋Ｓｂ）の周波数スペクトラムの一例を示している。
【００３７】
ドライブ回路１７４は、加算器１７３の出力信号に基づいて、磁歪アクチュエータ１０９にドライブ信号Ｓｄを供給する。すなわち、磁歪アクチュエータ１０９のソレノイドコイル１５２に、加算器１７３の出力信号に対応した制御電流を流し、この磁歪アクチュエータ１０９で加算器１７３の出力信号の波形に応じた変位出力が得られるようにドライブする。
【００３８】
図１に示す携帯電話機１００の動作を簡単に説明する。まず、受信時の動作を説明する。送受信アンテナ１０５で受信された携帯電話信号（高周波信号）は無線部１０６に供給される。この無線部１０６では、携帯電話信号がミキサにより中間周波信号に変換され、さらにその中間周波信号からベースバンド信号が復調される。そして、このベースバンド信号はベースバンド処理部１０７に供給される。
【００３９】
このベースバンド処理部１０７では、ベースバンド信号から音声情報、データ情報（画像情報、テキスト情報を含む）等が分離される。そして、音声情報は音声処理部１０８に供給され、データ情報は制御部１０１に供給される。制御部１０１は、データ情報に基づいた制御動作を行うと共に、必要に応じて、表示部１０３に画像、文字等を表示する。
【００４０】
音声処理部１０８では、音声情報に対して復号化処理が行われ、音声信号Ｓａが得られる。この音声信号Ｓａは、加算器１７３を介してドライブ回路１７４に供給され（図４参照）、このドライブ回路１７４から磁歪アクチュエータ１０９に、音声信号Ｓａに対応したドライブ信号Ｓｄが供給される。これにより、磁歪アクチュエータ１０９により筐体の一部１２０、例えば液晶アクリルパネルが振動され、音声信号Ｓａに対応した音声出力が得られる。
【００４１】
次に、送信時の動作を説明する。マイクロホン１１０からの音声信号は音声処理部１０８に供給される。音声処理部１０８では、この音声信号に対して符号化処理が行われ、音声情報が得られる。この音声情報はベースバンド処理部１０７に供給される。
【００４２】
ベースバンド処理部１０７では、音声情報と、制御部１０１から供給されるデータ情報とが合成され、送信すべきベースバンド信号が生成される。このベースバンド信号は無線部１０６に供給される。
【００４３】
無線部１０６では、ベースバンド信号に対して変調処理が行われて中間周波信号が得られ、さらにこの中間周波信号がミキサにより携帯電話信号（高周波信号）に変換される。この携帯電話信号は送受信アンテナ１０５に供給されて送信される。
【００４４】
次に、着信時に、当該着信をユーザに知らせる動作を説明する。マナーモードに設定されておらず、バイブレーションオフモードに設定されている場合には、加算器１７３に着信用の音声信号Ｓａのみが供給され、この音声信号Ｓａは加算器１７３を介してドライブ回路１７４に供給される（図４参照）。そして、このドライブ回路１７４から磁歪アクチュエータ１０９に、着信用の音声信号Ｓａに対応したドライブ信号Ｓｄが供給される。これにより、磁歪アクチュエータ１０９により筐体の一部１２０、例えば液晶アクリルパネルが振動され、着信用の音声信号Ｓａに対応した音声出力（着信音）が得られる。
【００４５】
また、マナーモードに設定されており、バイブレーションオンモードに設定されている場合には、接続スイッチ１７２が接続状態とされ、加算器１７３にバイブレーション信号Ｓｂのみが供給される。このバイブレーション信号Ｓｂは加算器１７３を介してドライブ回路１７４に供給される（図４参照）。そして、このドライブ回路１７４から磁歪アクチュエータ１０９に、バイブレーション信号Ｓｂに対応したドライブ信号Ｓｄが供給される。これにより、磁歪アクチュエータ１０９により筐体の一部１２０、例えば液晶アクリルパネルが振動され、振動出力が得られる。
【００４６】
また、マナーモードに設定されておらず、バイブレーションオンモードに設定されている場合には、加算器１７３に着信用の音声信号Ｓａが供給され、さらに接続スイッチ１７２が接続状態とされ、この加算器１７３にバイブレーション信号Ｓｂが供給される。この加算器１７３から出力される音声信号Ｓａとバイブレーション信号Ｓｂの混合信号はドライブ回路１７４に供給される（図４参照）。これにより、磁歪アクチュエータ１０９により筐体の一部１２０、例えば液晶アクリルパネルが振動され、着信用の音声信号Ｓａに対応した音声出力（着信音）とバイブレーション信号Ｓｂに対応した振動出力との混合出力が得られる。
【００４７】
上述した実施の形態によれば、バイブレーション信号Ｓｂおよび音声信号Ｓａの一方の信号または両方を混合した信号（Ｓａ＋Ｓｂ）に基づいて磁歪アクチュエータ１０９をドライブする構成としたものであり、振動出力および音声出力の一方の出力または両方の混合出力を磁歪アクチュエータ１０９を用いた小規模な構成で容易に得ることができる。
【００４８】
また、この実施の形態によれば、バイブレーション信号発生器１７１から発生されるバイブレーション信号Ｓｂを例えば可聴帯域外の周波数を持つ信号とするものであり、振動音がユーザに聞こえることを防止できる。
【００４９】
また、この実施の形態によれば、バイブレーション信号発生器１７１から発生されるバイブレーション信号Ｓｂを間欠的な信号とするものであり、振動出力に強弱を与えることできる。
【００５０】
上述実施の形態においては、ドライブ回路１７４に供給されるバイブレーション信号Ｓｂのレベルが一定であるものを示したが、このバイブレーション信号Ｓｂのレベルが音声信号Ｓａのレベルに応じて調整されるようにしてもよい。音声信号Ｓａのレベルに応じてバイブレーション信号Ｓｂのレベルを調整することで、音声出力の強弱に合わせて振動出力に強弱を与えることができ、音声出力と振動出力の同調を図ることができる。
【００５１】
図７は、その場合における音声処理部１０８の要部、すなわち音声信号Ｓａおよびバイブレーション信号Ｓｂの出力部の構成を示している。この図７において、図４と対応する部分には同一符号を付し、その詳細説明は省略する。
【００５２】
バイブレーション信号発生器１７１と接続スイッチ１７２との間にレベル調整手段としてのアッテネータ１７５を挿入する。また、音声信号Ｓａのレベルを検出するレベル検出器１７６を設ける。このレベル検出器１７６の検出出力をアッテネータ１７５に制御信号として供給する。アッテネータ１７５では、例えば音声信号Ｓａのレベルが小さいほど、減衰率が高くされる。これにより、アッテネータ１７５からは、音声信号Ｓａのレベルに対応したレベルを持つバイブレーション信号Ｓｂが出力され、音声出力の強弱に合わせて振動出力に強弱を与えることができる。なお、アッテネータ１７５の代わりに、レベル調整手段として可変利得アンプ等を使用してもよい。
【００５３】
なお、図８Ａは、上述実施の形態のように、磁歪アクチュエータ１０９が筐体の一部２０としての液晶アクリルパネル１８０に接するようにされた例である。この図８Ａには、磁歪アクチュエータ１０９が２個配置されているが、勿論１個だけ配置するものであってもよい。図示のように、パネル１８０の面が机の上面１９１に対向するように携帯電話機１００が置かれるとき、この机も振動し、この机からも音声出力、振動出力が得られ、これらの出力が大きくなり、逆にこの携帯電話機１００を机の上面１９１から手にとると、自然と音声出力、振動出力が小さくなる。
【００５４】
また、図８Ｂは、磁歪アクチュエータ１０９が筐体１８２に接するようにされた例である。この場合、筐体１８２の全体に磁歪アクチュエータ１０９の振動が伝わり、音声出力、振動出力が得られる。図示のように、携帯電話機１００が机の上面１９１に置かれるとき、この机も振動し、この机からも音声出力、振動出力が得られ、これらの出力が大きくなり、逆にこの携帯電話機１００を机の上面１９１から手にとると、自然と音声出力、振動出力が小さくなる。なお、この場合、通話用の音声出力を得るためのスピーカ１８４を別途さらに設けるようにしてもよい。
【００５５】
また、図８Ｃは、この発明の電気機械変換装置をゲーム機１００′に応用したものである。この場合、磁歪アクチュエータ１０９は、例えば液晶アクリルパネル１８６に接するようにされている。この場合、小型でも、高音質で比較的大音量で楽しむことができ、バイブレーション機能を含めた音声と画像でユーザとより近いインタラクションを実現できる。
【産業上の利用可能性】
【００５６】
この発明は、振動出力および音声出力の一方の出力または両方の混合出力を磁歪アクチュエータを用いた小規模な構成で容易に得ることができ、例えばバイブレーション機能を有する、携帯電話機あるいはゲーム機等に適用できる。
【図面の簡単な説明】
【００５７】
【図１】実施の形態としての携帯電話機の構成を示すブロック図である。
【図２】磁歪アクチュエータの断面概略図である。
【図３】磁歪アクチュエータの磁束線図である。
【図４】音声処理部の要部であるバイブレーション信号および音声信号の出力部の構成例を示すブロックである。
【図５】バイブレーション信号、音声信号あるいはその混合信号の波形例を示す図である。
【図６】バイブレーション信号、音声信号あるいはその混合信号の周波数スペクトラムを示す図である。
【図７】音声処理部の要部であるバイブレーション信号および音声信号の出力部の他の構成例を示すブロックである。
【図８】応用例を説明するための図である。
【図９】従来の携帯電話機の構成例を示すブロック図である。
【符号の説明】
【００５８】
１００・・・携帯電話機、１００′・・・ゲーム機、１０１・・・制御部、１０２・・・キー操作部、１０３・・・表示部、１０４・・・メモリ、１０５・・・送受信アンテナ、１０６・・・無線部、１０８・・・音声処理部、１０９・・・磁歪アクチュエータ、１１０・・・マイクロホン、１２０・・・筐体の一部、１５１・・・磁歪素子、１５２・・・ソレノイドコイル、１５３・・・駆動ロッド、１５４・・・収納部、１５５・・・間隙、１６１・・・固定盤、１６２・・・永久磁石、１６３・・・筒状ケース、１７１・・・バイブレーション信号発生器、１７２・・・接続スイッチ、１７３・・・加算器、１７４・・・ドライブ回路、１７５・・・アッテネータ、１７６・・・レベル検出器、１８０，１８６・・・液晶アクリルパネル、１８２・・・筐体、１８４・・・スピーカ
【図１】
2006334541.tif 000003
【図２】
2006334541.tif 000004
【図３】
2006334541.tif 000005
【図４】
2006334541.tif 000006
【図５】
2006334541.tif 000007
【図６】
2006334541.tif 000008
【図７】
2006334541.tif 000009
【図８】
2006334541.tif 000010
【図９】
2006334541.tif 000011
【手続補正書】
【提出日】平成18年9月20日(2006.9.20)
【手続補正１】
【補正対象書類名】特許請求の範囲
【補正対象項目名】全文
【補正方法】変更
【補正の内容】
【特許請求の範囲】
【請求項１】
磁歪アクチュエータと、
上記磁歪アクチュエータをドライブするドライブ部とを備え、
上記ドライブ部は、バイブレーション信号および音声信号の一方の信号または両方を混合した信号に基づいて上記磁歪アクチュエータをドライブする
ことを特徴とする電気機械変換装置。
【請求項２】
上記バイブレーション信号は可聴帯域外の周波数を持つ信号である
ことを特徴とする請求項１に記載の電気機械変換装置。
【請求項３】
上記バイブレーション信号は間欠的な信号である
ことを特徴とする請求項１に記載の電気機械変換装置。
【請求項４】
上記音声信号のレベルを検出するレベル検出部と、
上記レベル検出部の検出出力に基づいて、上記バイブレーション信号のレベルを調整するレベル調整手段とをさらに備える
ことを特徴とする請求項１に記載の電気機械変換装置。
【請求項５】
上記磁歪アクチュエータは筐体の一部に接触して上記バイブレーション信号による振動出力を伝え発音すること
を特徴とする請求項１に記載の電気機械変換装置。
【請求項６】
上記磁歪アクチュエータは筐体面に接触して上記バイブレーション信号による振動出力を伝え発音することを特徴とする請求項１に記載の電気機械変換装置。
【請求項７】
上記磁歪アクチュエータは画像表示部の前面パネルに接触して上記バイブレーション信号による振動出力を伝え発音すること
を特徴とする請求項１に記載の電気機械変換装置。
【請求項８】
バイブレーション信号による振動出力および音声信号による音声出力の一方の出力または両方の混合出力を得るための方法であって、
上記バイブレーション信号および上記音声信号の一方の信号または両方を混合した信号に基づいて磁歪アクチュエータをドライブする
ことを特徴とする電気機械変換方法。
【請求項９】
バイブレーション信号による振動出力および音声信号による音声出力の一方の出力または両方の混合出力を得るための電気機械変換装置を有する電子機器であって、
上記電気機械変換装置は、
磁歪アクチュエータと、
上記磁歪アクチュエータをドライブするドライブ部とを備え、
上記ドライブ部は、バイブレーション信号および音声信号の一方の信号または両方を混合した信号に基づいて上記磁歪アクチュエータをドライブする
ことを特徴とする電子機器。
【手続補正２】
【補正対象書類名】明細書
【補正対象項目名】０００３
【補正方法】変更
【補正の内容】
【０００３】
図９は、この種の携帯電話機２００の構成例を示している。この携帯電話機２００は、マイクロコンピュータを有して構成され、電話機全体の動作を制御する制御部２０１を有している。この制御部２０１には、ユーザが種々の操作を行うためのキー操作部２０２、送受信状態、操作状態等を表示する、液晶表示素子等からなる表示部２０３、および多数の相手先の電話番号などを格納した電話帳メモリ等として使用されるメモリ２０４が接続されている。
【手続補正３】
【補正対象書類名】明細書
【補正対象項目名】００２５
【補正方法】変更
【補正の内容】
【００２５】
この携帯電話機１００は、マイクロコンピュータを有して構成され、電話機全体の動作を制御する制御部１０１を有している。この制御部１０１には、ユーザが種々の操作を行うためのキー操作部１０２、送受信状態、操作状態等を表示する、液晶表示素子等からなる表示部１０３、および多数の相手先の電話番号などを格納した電話帳メモリ等として使用されるメモリ１０４が接続されている。
【手続補正４】
【補正対象書類名】明細書
【補正対象項目名】００５３
【補正方法】変更
【補正の内容】
【００５３】
なお、図８Ａは、上述実施の形態のように、磁歪アクチュエータ１０９が筐体の一部１２０としての液晶アクリルパネル１８０に接するようにされた例である。この図８Ａには、磁歪アクチュエータ１０９が２個配置されているが、勿論１個だけ配置するものであってもよい。図示のように、パネル１８０の面が机の上面１９１に対向するように携帯電話機１００が置かれるとき、この机も振動し、この机からも音声出力、振動出力が得られ、これらの出力が大きくなり、逆にこの携帯電話機１００を机の上面１９１から手にとると、自然と音声出力、振動出力が小さくなる。
【手続補正５】
【補正対象書類名】図面
【補正対象項目名】図２
【補正方法】変更
【補正の内容】
【図２】
2006334541.tif 000012